(57)【要約】【課題】  通信相手の機器環境やコンテンツの共有条件なども考慮にいれ、さまざまな種類のコンテンツの共有を容易に行うコンテンツ共有装置の提供。【解決手段】  コンテンツを共有しようとする外部装置の備える機能情報と、共有コンテンツ候補の属性とに基づき、共有可能なコンテンツを特定して記憶し、その中から指定したコンテンツの属性に基づき、共有を行う外部装置に対して、指定したコンテンツの属性に対応した所定の設定動作（共有コンテンツを外部装置と共有するための設定動作）を行う。【選択図】        図１
2006129058.tif 000002
【特許請求の範囲】
【請求項１】
外部装置と通信を行い、該外部装置とコンテンツを共有するコンテンツ共有装置であって、
共有しようとするコンテンツの候補を、それぞれのコンテンツの少なくとも種別情報を含むコンテンツ属性情報と関連付けて共に記憶する、共有コンテンツ候補記憶手段と、
コンテンツの共有相手となる前記外部装置がコンテンツを再生または取得可能なコンテンツを特定するための外部装置用コンテンツ特定情報を取得する、外部装置情報取得手段と、
前記外部装置と共有可能なコンテンツを特定する、共有可能コンテンツ特定手段と、
前記共有可能コンテンツ特定手段により特定された共有可能なコンテンツの範囲内でユーザが共有コンテンツの選択を行なった場合の該選択を受け付ける、共有コンテンツ選択手段と、
前記共有コンテンツ選択手段が受け付けた選択された共有コンテンツの属性に基づき、該共有コンテンツを前記外部装置と共有するための所定の設定動作を行う、コンテンツ共有設定手段とを備え、
前記共有可能コンテンツ特定手段は、前記外部装置情報取得手段により取得された前記外部装置用コンテンツ特定情報と、前記共有コンテンツ候補記憶手段に記憶された前記共有コンテンツ候補の前記コンテンツ属性情報とに基づき、前記共有可能なコンテンツを特定することを特徴とする、コンテンツ共有装置。
【請求項２】
前記共有コンテンツ候補記憶手段は、ユーザが視聴したコンテンツの内より、特に現在から所定期間前までに視聴したコンテンツ、あるいは現在から所定期間前までに取得したコンテンツを共有コンテンツの候補として記憶することを特徴とする、請求項１に記載のコンテンツ共有装置。
【請求項３】
前記共有コンテンツ候補記憶手段は、一時的に前記コンテンツ共有装置に接続された装置より得られるコンテンツをも共有コンテンツの候補として記憶することを特徴とする、請求項１または請求項２に記載のコンテンツ共有装置。
【請求項４】
前記コンテンツ属性情報に含まれる前記コンテンツの種別情報は、ウェブコンテンツ、放送コンテンツ、録画コンテンツ、静止画コンテンツ、ラジオコンテンツ、音楽コンテンツのうちの少なくとも一つを示す情報であることを特徴とする、請求項１〜請求項３のいずれかに記載のコンテンツ共有装置。
【請求項５】
前記外部装置用コンテンツ特定情報は、ウェブコンテンツ、放送コンテンツ、録画コンテンツ、静止画コンテンツ、ラジオコンテンツ、音楽コンテンツのうちの少なくとも一つの種別のコンテンツを再生または取得するのに必要とされる機能の有無に関する情報であることを特徴とする、請求項１〜請求項４のいずれかに記載のコンテンツ共有装置。
【請求項６】
前記外部装置用コンテンツ特定情報は、放送の受信契約情報を含むことを特徴とする、請求項１〜請求項５のいずれかに記載のコンテンツ共有装置。
【請求項７】
前記コンテンツ属性情報は、コンテンツの共有の可否に関する情報を含み、前記共有可能コンテンツ特定手段は、前記コンテンツの共有の可否に関する情報に基づいて、前記共有可能なコンテンツの特定を行うことを特徴とする、請求項１〜請求項６のいずれかに記載のコンテンツ共有装置。
【請求項８】
コンテンツが放送コンテンツである場合における前記コンテンツの共有の可否に関する情報は、当該放送コンテンツの著作権保護に関するＤＲＭ（Digital Rights Management）情報に基づいて設定されることを特徴とする、請求項７に記載のコンテンツ共有装置。
【請求項９】
前記コンテンツの共有の可否に関する情報は、ユーザにより設定可能に構成されていることを特徴とする、請求項７に記載のコンテンツ共有装置。
【請求項１０】
前記共有可能コンテンツ特定手段は、前記コンテンツの共有の可否に関する情報により共有できないとされているコンテンツであっても、コンテンツの共有相手となる前記外部装置の前記外部装置用コンテンツ特定情報に基づき当該外部装置が該コンテンツを使用可能な場合には、前記共有可能なコンテンツと判断して該コンテンツの特定を行うことを特徴とする、請求項７に記載のコンテンツ共有装置。
【請求項１１】
前記コンテンツ共有設定手段は、コンテンツの共有相手となる前記外部装置の前記外部装置用コンテンツ特定情報に基づき、該外部装置が共有しようとするコンテンツの取得が不可能と判断された場合は、該外部装置に対して当該共有しようとするコンテンツの送付を行い、該外部装置が共有しようとするコンテンツの取得が可能と判断された場合は、該外部装置に対して当該共有しようとするコンテンツの取得を指示することを特徴とする、請求項１〜請求項１０のいずれかに記載のコンテンツ共有装置。
【発明の詳細な説明】
【技術分野】
【０００１】
本発明は、Ｗｅｂ、画像、放送コンテンツなどさまざまなコンテンツの送受信を行うテレビ電話システムなどにおいてコンテンツを共有するコンテンツ共有装置に関する。
【背景技術】
【０００２】
テレビ電話システムにおいて、電話をしている相手と同じ画面を見ながら、その画面について話をしたいという画面共有に対する要求があり、昨今、いくつかの技術が開発されている。
【０００３】
テレビ電話システムにおいて、相手画面とＷＷＷ（World Wide Web）ブラウザ画面を共有するための技術が開示されている（特許文献１）。この特許文献１では、互いのテレビ電話装置にＷＷＷブラウザ機能を併せ持っており、テレビ電話モニタ内の別ウィンドウに表示されたブラウザに表示するコンテンツの共有を行っている。
【０００４】
また、テレビ電話システムにおいて、Ｗｅｂに限らず、画像データや音声データなどさまざまなコンテンツを共有する技術が開示されている（特許文献２）。この特許文献２では、共有する側がコマンドデータを送信し、受信側がコマンドデータに対応したイベント（画像データ、音声データ、ＨＴＭＬデータの画像表示や音声出力）を実行する。
【特許文献１】特開２０００−３４１３４１
【特許文献２】特開２００３−２２４８３６
【発明の開示】
【発明が解決しようとする課題】
【０００５】
しかし、従来の技術では、たとえば、画像などのコンテンツをテレビ電話システムの通信相手側において共有して表示しながら討議するために、画像などのコンテンツを同時に表示させようとのコンテンツ共有操作をしようとした場合、まず共有したいコンテンツがどこにあるか探すことから始めなければならず、その操作は煩雑であった。
【０００６】
特許文献１においては、ワールドワイドウェブ（ＷＷＷと称する。）を使用すると、サイト（Site）と呼ばれる情報源よりインターネット経由で利用者がいながらにして世界中のサイトから所望のデータを入手することができるＷＷＷブラウザ（World Wide Web Browser）をまず起動し、共有するコンテンツのＵＲＬ（Uniform Resource Locator：インターネット上でホームページの閲覧を行うためのアドレスを指すもの）を入力する操作が必要になり、会話が中断されてしまう。
【０００７】
また、特許文献２においては、扱うコンテンツがＷＷＷブラウザから収集されるコンテンツのみならずさまざまなコンテンツを扱うため、各端末機器側において共有するコンテンツを取得するための選択操作はさらに煩雑になる。
【０００８】
また、共有したいコンテンツを選択しても、そのコンテンツが通信相手側において共有を許可されていないコンテンツである可能性があり、さらに通信相手の環境によっては選択したコンテンツを閲覧できない場合もあるので、選択したコンテンツが必ず共有できるとも限らない。
【０００９】
そこで本発明では、前記問題点を解決するために、通信相手の機器環境やコンテンツの共有条件なども考慮にいれ、さまざまな種類のコンテンツの共有を容易に行うことができるコンテンツ共有装置を構築することを課題とする。
【課題を解決するための手段】
【００１０】
この発明のある局面に係るコンテンツ共有装置は、共有しようとするコンテンツの候補を、それぞれのコンテンツの少なくとも種別情報を含むコンテンツ属性情報と共に記憶する、共有コンテンツ候補記憶手段と、コンテンツの共有相手となる外部装置がコンテンツを再生または取得可能なコンテンツを特定するための外部装置用コンテンツ特定情報を取得する、外部装置情報取得手段と、外部装置と共有可能なコンテンツを特定する、共有可能コンテンツ特定手段と、共有可能コンテンツ特定手段により特定された共有可能なコンテンツの範囲内でユーザが共有コンテンツの選択を行った場合の該選択を受け付ける、共有コンテンツ選択手段と、共有コンテンツ選択手段が受け付けた選択された共有コンテンツの属性に基づき、該共有コンテンツを外部装置と共有するための所定の設定動作を行う、コンテンツ共有設定手段とを備え、共有可能コンテンツ特定手段は、外部装置情報取得手段により取得された外部装置用コンテンツ特定情報と、共有コンテンツ候補記憶手段に記憶された共有コンテンツ候補の前記コンテンツ属性情報とに基づき、前記共有可能なコンテンツを特定する。
【００１１】
このように、共有可能コンテンツ特定手段は、外部装置情報取得手段により取得された外部装置用コンテンツ特定情報と、共有コンテンツ候補記憶手段に記憶された共有コンテンツ候補のコンテンツ属性情報とに基づき、共有可能なコンテンツを特定し、その特定された共有可能なコンテンツの範囲内でユーザが共有コンテンツの選択を行なうことができ、コンテンツの種類に関係なく、共有可能なコンテンツを通信相手側の外部装置の環境も考慮して自動的に特定して、その範囲内でユーザが簡単に共有コンテンツを選択することができる。
【００１２】
前述のコンテンツ共有装置は、好ましくは、共有コンテンツ候補記憶手段が、ユーザが視聴したコンテンツの内より、特に現在から所定期間前までに視聴したコンテンツ、あるいは現在から所定期間前までに取得したコンテンツを共有コンテンツの候補として記憶する。
【００１３】
このように、例えば通信を開始する前に見ていたコンテンツ、あるいは現在から所定期間内に閲覧したコンテンツなど、ユーザが通信相手と共有する可能性が高いコンテンツに限定して、共有コンテンツ候補記憶手段が共有コンテンツ候補として記憶することによって、ユーザはよりスムーズに共有するコンテンツを選択することができる。
【００１４】
前述のコンテンツ共有装置は、好ましくは、前記共有コンテンツ候補記憶手段が、一時的にコンテンツ共有装置に接続された装置より得られるコンテンツをも共有コンテンツの候補として記憶する。
【００１５】
このように一時的にコンテンツ共有装置につながった機器より得られたコンテンツであっても共有コンテンツ候補記憶手段に共有候補として加えることによって、より豊富なコンテンツを共有候補として記憶することができる。
【００１６】
前述のコンテンツ共有装置は、好ましくは、コンテンツ属性情報に含まれるコンテンツの種別情報が、ウェブコンテンツ、放送コンテンツ、録画コンテンツ、静止画コンテンツ、ラジオコンテンツ、音楽コンテンツのうちの少なくとも一つを示す情報である。
【００１７】
前述のコンテンツ共有装置は、好ましくは、外部装置用コンテンツ特定情報が、ウェブコンテンツ、放送コンテンツ、録画コンテンツ、静止画コンテンツ、ラジオコンテンツ、音楽コンテンツのうちの少なくとも一つの種別のコンテンツを再生または取得するのに必要とされる機能の有無に関する情報である。
【００１８】
前述のコンテンツ共有装置は、好ましくは外部装置用コンテンツ特定情報が、放送の受信契約情報を含む。
【００１９】
前述のコンテンツ共有装置は、好ましくは、コンテンツ属性情報が、コンテンツの共有の可否に関する情報を含み、前記共有可能コンテンツ特定手段は、前記コンテンツの共有の可否に関する情報に基づいて、前記共有可能なコンテンツの特定を行う。
【００２０】
このように、コンテンツ属性情報がコンテンツの共有の可否に関する情報を含むので、外部装置のコンテンツの再生または取得機能にかかわらず、独自にコンテンツの共有の可否に関する情報に基づいて共有可能なコンテンツの特定を行うことができる。
【００２１】
前述のコンテンツ共有装置は、好ましくは、コンテンツが放送コンテンツである場合における前記コンテンツの共有の可否に関する情報が、当該放送コンテンツの著作権保護に関するＤＲＭ（Digital Rights Management）情報に基づいて設定される。
【００２２】
このようにコンテンツの共有の可否に関する情報が、ＤＲＭ情報に基づいて設定されるので、著作権に関するトラブル発生を防止できる。
【００２３】
前述のコンテンツ共有装置は、好ましくは、コンテンツの共有の可否に関する情報が、ユーザにより設定可能に構成されている。
【００２４】
このようにコンテンツの共有の可否に関する情報が、ユーザにより設定可能に構成されているので、ユーザが好まないコンテンツの共有を避けることができる。
【００２５】
前述のコンテンツ共有装置は、好ましくはコンテンツの共有の可否に関する情報により共有できないとされているコンテンツであっても、コンテンツの共有相手となる外部装置の外部装置用コンテンツ特定情報に基づき当該外部装置が該コンテンツを使用可能な場合には、共有可能なコンテンツと判断して該コンテンツの特定を行う。
【００２６】
このように共有を許可されていないコンテンツであっても、通信相手の外部装置が当該コンテンツを記憶して使用可能な状態であれば、共有することができ、共有するコンテンツ数を増やすことができる。
【００２７】
前述のコンテンツ共有装置は、好ましくは、コンテンツの共有相手となる前記外部装置の前記外部装置用コンテンツ特定情報に基づき、該外部装置が共有しようとするコンテンツの取得が不可能と判断された場合は、該外部装置に対して当該共有しようとするコンテンツの送付を行い、該外部装置が共有しようとするコンテンツの取得が可能と判断された場合は、該外部装置に対して当該共有しようとするコンテンツの取得を指示する。
【００２８】
このように外部装置が共有しようとするコンテンツを取得する機能を有していない場合でも、再配布可能なコンテンツであれば外部装置に対して当該共有しようとするコンテンツの送付を行い、画面自体を共有することによりコンテンツの共有を可能とすることができ、より多くのコンテンツを共有することができる。
【発明を実施するための最良の形態】
【００２９】
以下、本発明の各実施の形態について図面を参照しながら説明する。なお、外部装置１０１とコンテンツ共有装置１００がネットワークを介して通信可能に接続されている例で説明するが、外部装置１０１とコンテンツ共有装置１００との通信接続の形態はいずれの方法であっても構わない。
【００３０】
［実施の形態１］
図１は実施の形態１に係るコンテンツ共有装置１００のブロック図である。ここで通信相手側のテレビ電話機が外部装置１０１であり、図１では外部装置１０１は１つのみ図示されているが、これはコンテンツ共有装置１００がこのようにネットワークを介して通信相手側の外部装置１０１に通信接続されていることを例示しているのであって、外部装置１０１は複数であってもよい。図１を見ながらコンテンツ共有装置１００の構成を各ブロックの働きとともに説明する。ユーザは、操作入力部１０２を用いて、閲覧や共有を行うコンテンツを選択し、また選択したコンテンツの再生、一時停止などの操作を行う。共有コンテンツ候補記憶部１０３は、外部装置１０１と共有するコンテンツの候補を記憶する。
【００３１】
外部装置情報記憶部１０４は、外部装置１０１の再生可能なコンテンツの種別などの外部装置情報を取得し、外部装置１０１毎に関連付けて記憶する。共有可能コンテンツ特定部１０５は、外部装置情報記憶部１０４に記憶している外部装置情報と、共有コンテンツ候補記憶部１０３に記憶しているコンテンツの属性値に基づいて、共有コンテンツ候補記憶部１０３に記憶しているコンテンツの候補から共有可能なコンテンツを選び出して後述する共有リストを作成して記憶する。複数の外部装置１０１と同時に通信している場合には、各々の装置に対する共有リストを作成してもよいが、通信中のすべての外部装置１０１が共有できるコンテンツに限定してひとつの共有リストを作成してもよい。他の外部装置１０１と通信中に新たな外部装置１０１と接続を開始したり、あるいは複数の外部装置１０１と通信中に一部の外部装置１０１との通信を終了した場合には、そのときに応じて共有リストを新たに作成する。共有コンテンツ選択部１０６は、操作入力部１０２を用いたユーザ入力に基づいて、共有可能コンテンツ特定部１０５にて特定された共有可能なコンテンツを記憶している共有リストから共有を行うコンテンツを選択する。
【００３２】
コンテンツ共有設定部１０７は、前記選択された共有を行うコンテンツを所定の処理により、ネットワークを介して接続された外部装置１０１および管理再生部１０８へ共有動作を行う指示を送る。この管理再生部１０８は、この指示を受けてコンテンツの取得再生などを行う。このとき、管理再生部１０８は、コンテンツの属性値である詳細情報がチャンネル番号であればテレビ（ＴＶ）に切り替えて、チャンネル番号を元に放送受信部１０９を用いて外部から放送を受信する。あるいはコンテンツの属性値である詳細情報がＵＲＬ情報であればＷＷＷブラウザに切り替えてＵＲＬ情報を元にＷｅｂ処理部１１０を用いてネットワークからＷｅｂ情報を受信する。あるいは、コンテンツの属性値である詳細情報がファイル名情報であれば動画あるいは静止画の再生アプリケーションソフトに切り替えてファイル名を元にコンテンツ記憶部１１１に記憶しているコンテンツを再生する。管理再生部１０８は前記いずれかの処理を行った結果を表示出力部１１２に提示する。
【００３３】
次に、図２を用いて共有リスト作成の流れを説明する。図２は図１の共有可能コンテンツ特定部１０５が共有リストを作成するまでの流れを示すフローチャートである。コンテンツ共有装置１００が通信相手の外部装置１０１と通信を始めると、ステップＳ２００（以下、ステップを略しＳ２００などと記す。）へ進む。Ｓ２００では、ネットワークを通して、外部装置１０１から外部装置１０１の所有する機能の情報を受信し、外部装置情報記憶部１０４に記憶してＳ２０１に進む。外部装置情報の一例を図３に示している。この図３の外部装置情報を見れば、外部装置１０１において、Ｗｅｂを閲覧する機能「ＷＷＷブラウザ」があり、テレビ（ＴＶ）はデジタル放送、ＳＫＹ  ＰｅｒｆｅｃｔＴＶを受信可能であることが分かる。外部装置１０１は、少なくともコンテンツ共有装置１００から情報提供された映像を閲覧できる機能は備えることが望ましい。たとえば、異種のパソコン間でのドキュメントの交換を可能にするＰＤＦ［portable document format］形式で作られた文書ファイルを開くＰＤＦソフト、Ｆｌａｓｈ（登録商標）ムービーを見る（再生する）Ｆｌａｓｈ（登録商標）ソフトである。図３において、「動画アプリ」とあるのは、動画を再生するのに必要なアプリケーションソフト、上述のＰＤＦソフト、Ｆｌａｓｈ（登録商標）ソフトなどを備えていることを意味している。しかし、具体的に備えているソフト名の情報を外部装置情報にいれておけば、外部装置１０１が備える機能がさらに明瞭になる。
【００３４】
Ｓ２０１では、外部装置１０１が共有候補となるコンテンツを閲覧できる機能があるか、および該コンテンツが有料コンテンツである場合に、そのコンテンツを閲覧する権利が外部装置１０１にあるかどうかなど判定し、共有可能なコンテンツからなる共有リストを作成するために共有コンテンツ候補記憶部１０３に記憶されているコンテンツが必要とする表示機能項目と外部装置情報記憶部１０４に記憶されている外部装置１０１の所有する機能の情報との比較を開始し、Ｓ２０２へ進む。
【００３５】
共有コンテンツ候補記憶部１０３において記憶されているコンテンツリストには、たとえば、コンテンツ記憶部１１１において記憶しているコンテンツ、放送受信部１０９より受信することができるコンテンツおよび履歴などに登録、あるいは会員に登録しているＷｅｂ処理部１１０から受信するコンテンツなどコンテンツ共有装置１００が閲覧することができるあらゆるコンテンツすべて、あるいは外部装置１０１と通信する前にユーザが見ていたある所定の数のコンテンツ群、あるいはその日一日などある一定期間に見ていたコンテンツ群、ユーザ自身が操作入力部１０２において共有候補として設定したコンテンツ群などが記憶されている。また、一定期間に見ていたコンテンツ群であっても、所定の時間以上閲覧したコンテンツのみを記憶してもよい。さらに、操作入力部１０２を用いて、ユーザ自身が各々のコンテンツに対し、共有コンテンツ候補に加えるか設定してもよい。
【００３６】
この共有コンテンツ候補記憶部１０３において記憶されているコンテンツリストの例を図９に示している。共有コンテンツ候補記憶部１０３では、図９の「タイトル」欄に記載のコンテンツの名前の他、「詳細」欄に記載している、そのコンテンツの場所、たとえば、テレビ（ＴＶ）ならチャンネル番号などの詳細情報、「共有の可否」欄に記載している、共有可能なコンテンツかどうかの共有可否情報、種別情報とも言える「機能」欄に記載している、コンテンツを閲覧するために必要な機能情報などの属性値が記憶されている。
【００３７】
なお、コンテンツの属性情報は、共有コンテンツ候補記憶部１０３に常に記憶されている必要はなく、必要に応じてネットワークやコンテンツ記憶部１１１などを通して、取得してもよい。さらに、共有コンテンツ候補記憶部１０３をネットワークを通して外部装置１０１と接続し、外部装置１０１で記憶、あるいはコンテンツ共有装置１００との通信を開始する前に閲覧していたコンテンツを共有コンテンツ候補記憶部１０３に記憶するコンテンツリストに加えてもよい。
【００３８】
ここで、コンテンツの共有の可否とは、そのコンテンツが通信相手側の外部装置１０１において閲覧（表示あるいは出力）することが制限されるか否かということとする。コンテンツの共有の可否に関する情報は、例えば放送コンテンツのＤＲＭ情報に基づいて設定する。ここで、ＤＲＭ（Digital Rights Management）とは、映像や音楽をインターネットとかデジタル放送を使って配信する場合に著作権を保護する仕組み（著作権管理技術）で、たとえば、コピーをハードディスク等の記録媒体に作成出来なくしたり、配信データを暗号化し、料金を支払った（認証した）ユーザにのみが視聴可能とする仕組みなどである。ユーザが自分で撮影した映像などのローカルコンテンツにおいてはデフォルト、すなわち、ユーザが特に指定しない場合に設定されている標準の動作条件にしておくことですべて共有可能にしておいてもよいし、操作入力部１０２によりユーザ自身で設定できるようにしてもよい。また、放送コンテンツにおいても、提供側が共有を許すコンテンツであっても、操作入力部１０２によりユーザ自身で共有できないように設定できてもよい。
【００３９】
Ｓ２０２では、共有コンテンツ候補記憶部１０３に記憶されているコンテンツを順番に見て、コンテンツが所有する表示機能項目、すなわち、そのコンテンツを通信相手側の外部装置１０１において映像表示、音声出力などを可能とさせる閲覧機能が、外部装置情報記憶部１０４に記憶されている外部装置１０１の所有する機能の情報に含まれているかを判定し、含まれていればＳ２０３へ進み、含まれていなければＳ２０４へ進む。
【００４０】
Ｓ２０３ではコンテンツが所有する表示機能項目が、外部装置情報記憶部１０４に記憶されているコンテンツを共有リストに追加してＳ２０４へ進む。Ｓ２０４では、共有リストの数が所定の数になったか判定し、所定の数を満たしていればＳ２０６へ進み、所定の数よりも少なければＳ２０５へ進む。
Ｓ２０５では、共有コンテンツ候補記憶部１０３に共有可能なコンテンツとしてコンテンツリストに記憶されていながら未だ比較検討していないコンテンツが存在するか判定し、存在すればＳ２０２へ戻り、次のコンテンツの比較を開始し、存在しなければＳ２０６へ進む。Ｓ２０６では共有リストの作成を終了する。図１０は共有リストの一例である。例では、共有リストはある一定の数だけ記憶するようにしているが、共有候補リストにあるコンテンツの中から条件にあったコンテンツはすべて加えるようにしてもよい。また、共有リストに記憶するコンテンツの数を一定としたとき、共有コンテンツ候補記憶手段（共有コンテンツ候補記憶部１０３）で記憶しているコンテンツの中から、比較対照を一定期間内に見たものなどの条件で限定してもよいし、あるいは直前に見ていたコンテンツが優先的に比較対象になるように順位づけてもよい。
【００４１】
次に図４のフローチャートを用いて、外部装置１０１がコンテンツの閲覧機能を所有していない場合でも共有可能なコンテンツであれば共有できる機能を加えた共有リストを作成する流れを説明する。このように外部装置１０１がコンテンツの閲覧機能を所有していない場合でも共有可能なコンテンツであれば共有できる機能を加えた共有リストを作成することで、例えば外部装置１０１がＷｅｂ閲覧機能を所有していない場合でも、共有可能なコンテンツであればその画面そのものを外部装置１０１へ送信することによって、画面を共有できるので、より豊富なコンテンツを共有することができる。
【００４２】
コンテンツ共有装置１００と外部装置１０１が通信を始めると、Ｓ４００へ進む。
Ｓ４００では、ネットワークを通して、外部装置１０１から外部装置１０１の所有する機能の情報を受信し、外部装置情報記憶部１０４に記憶してＳ４０１に進む。Ｓ４０１では、共有コンテンツ候補記憶部１０３に記憶されているコンテンツが必要とする表示機能項目と外部装置情報記憶部１０４に記憶されている外部装置１０１の所有する機能の情報との比較を開始し、Ｓ４０２へ進む。
【００４３】
Ｓ４０２では、現在比較対象になっているコンテンツの機能情報を見て、該コンテンツの機能の種類がＷｅｂ、すなわち、ネットワーク上の情報を閲覧するものか判定する。ＷｅｂであればＳ４０３に進み、Ｗｅｂ以外であればＳ４０４に進む。Ｓ４０３では、図５を用いて後述するＷｅｂ追加処理を行った後、Ｓ４０９へ進む。Ｓ４０４では、該コンテンツの機能の種類がビデオ、すなわち、映像情報（ただし、通常は音声出力情報も含む）を閲覧するものか判定する。ビデオであればＳ４０５に進み、ビデオ以外であればＳ４０６に進む。Ｓ４０５では、図６を用いて後述するビデオ追加処理を行った後、Ｓ４０９へ進む。Ｓ４０６では、該コンテンツの機能の種類がテレビ、すなわち、テレビ放送情報を閲覧するものか判定する。テレビであればＳ４０７に進み、テレビ以外であればＳ４０８に進む。Ｓ４０７では、図７を用いて後述するテレビ追加処理を行った後、Ｓ４０９へ進む。Ｓ４０８では、図８を用いて後述するその他追加処理を行った後、Ｓ４０９へ進む。
【００４４】
Ｓ４０９では、共有リストが所定の数に達したか判定し、達していればＳ４１１へ進み、達していなければＳ４１０に進む。Ｓ４１０では、共有コンテンツ候補記憶部１０３にまだ比較していないコンテンツがあるか判定し、コンテンツがあればＳ４０２に戻り、次の比較対象のコンテンツに対して処理をする。コンテンツがなければＳ４１１へ進む。
Ｓ４１１では、共有リストの作成を完了する。
【００４５】
次に図５のフローチャートを用いて、図４の共有リスト作成フローチャートにおけるＳ４０３に述べたＷｅｂ追加処理の流れを説明する。Ｓ５００では、外部装置情報記憶部１０４を参照して、外部装置１０１がＷｅｂ閲覧機能を所有しているか判定し、所有していればＳ５０１へ進み、所有していなければＳ５０４へ進む。
Ｓ５０１では、比較対象のコンテンツの属性情報から該コンテンツが会員のみ閲覧可能、有料コンテンツなど、閲覧になんらかの制限があるか判定し、閲覧制限があればＳ５０２へ進み、閲覧制限がなければＳ５０３へ進む。また、外部装置１０１に閲覧権利がない場合でも、コンテンツ提供側が許可した場合は外部装置１０１が共有中のみ該コンテンツを閲覧できるような手段を設けてもよい。このとき、閲覧制限がないコンテンツであっても、処理はＳ５０２に進む。
【００４６】
Ｓ５０２では、外部装置情報記憶部１０４から外部装置１０１が該コンテンツを閲覧する権利があるかどうか調べる。このように個々のコンテンツにおける外部装置１０１の閲覧権利の情報は、通信開始時にあらかじめ外部装置情報記憶部１０４に記憶されている。あるいは、共有リスト作成の処理時に各々のコンテンツについて必要に応じて外部装置１０１から閲覧する権利があるかどうかについての情報を取得してもよい。外部装置１０１に閲覧権利があればＳ５０３に進み、閲覧権利がなければＳ５０４に進む。Ｓ５０３では、該コンテンツを共有リストに加え、そのとき、属性値である送信情報を該コンテンツのＵＲＬにして、共有リスト作成処理に戻る。
【００４７】
Ｓ５０４では、該コンテンツの属性情報により、該コンテンツが再配布可能なコンテンツであるか判定し、再配布可能であればＳ５０５に進み、再配布不可であればＳ５０６に進む。Ｓ５０５では、該コンテンツを共有リストに加え、そのとき、属性値である送信情報を共有選択したときの本コンテンツ共有装置１００の画面そのもの、すなわち、本コンテンツ共有装置１００がネットワーク上の情報を閲覧するＷｅｂ画面そのものにして、共有リスト作成処理に戻る。Ｓ５０６では、該コンテンツを共有リストに加えずに、共有リスト作成処理に戻る。
【００４８】
共有処理を行う際に、該コンテンツのサーバーが混んでいるなどの状況によっては外部装置１０１においてなかなか該コンテンツを閲覧することができない場合が考えられる。その場合は例えば外部装置１０１において所定の時間がたっても該コンテンツを表示できない場合にはエラー情報をコンテンツ共有装置１００へ送信するようにしておき、エラー情報が受信された際には送信情報がＵＲＬであるＷＥＢの場合でも、該コンテンツを開いたときの本コンテンツ共有装置１００の画面そのものを送信情報にするなど、状況にあわせて送信情報を変えてもよい。
【００４９】
次に図６のフローチャートを用いて、図４の共有リスト作成フローチャートにおけるＳ４０５に述べたビデオ追加処理の流れを説明する。Ｓ６００では、外部装置情報記憶部１０４を参照して、外部装置１０１がビデオ閲覧機能を所有しているか判定し、所有していればＳ６０１へ進み、所有していなければＳ６０７へ進む。Ｓ６０１では、比較対象となるコンテンツが自分で撮影した動画などのローカルコンテンツであるか判定し、ローカルコンテンツであればＳ６０２に進み、ローカルコンテンツでなければＳ６０３に進む。
【００５０】
Ｓ６０２では、該コンテンツを共有リストに加え、そのとき、属性値である送信情報を該コンテンツのファイルのストリームにして、共有リスト作成処理に戻る。Ｓ６０３では、共有コンテンツ候補記憶部１０３により該コンテンツの属性情報を取得して、Ｓ６０４に進む。Ｓ６０４では、属性情報により、該コンテンツが共有可能なコンテンツか判定し、共有可能なコンテンツであればＳ６０２へ進み、共有できないコンテンツであればＳ６０５へ進む。
【００５１】
Ｓ６０５では、該コンテンツと同じコンテンツが外部装置１０１のコンテンツ記憶部に存在するか判定し、外部装置１０１が所有していればＳ６０６に進み、所有していなければＳ６０９に進む。Ｓ６０６では、該コンテンツを共有リストに加え、そのとき属性値である送信情報を外部装置１０１にある該コンテンツのファイル名にして、共有リスト作成処理に戻る。共有可能コンテンツであるか判定する前にＳ６０５の判定を行い、共有可能コンテンツでも、外部装置１０１が同じコンテンツを所有していれば送信情報を外部装置１０１にある該コンテンツのファイル名にして共有リストに加えるようにしてもよい。
【００５２】
Ｓ６０７では、共有コンテンツ候補記憶部１０３に記憶された該コンテンツの属性情報により該コンテンツが再配布可能なコンテンツであるか判定し、再配布可能なコンテンツであればＳ６０８へ進み、再配布できないコンテンツであればＳ６０９へ進む。
Ｓ６０８では、該コンテンツを共有リストに加え、そのとき属性値である送信情報を共有選択したときの本コンテンツ共有装置１００の画面そのものにして、共有リスト作成処理に戻る。Ｓ６０９では、該コンテンツを共有リストに加えずに、共有リスト作成処理に戻る。
【００５３】
次に図７のフローチャートを用いて、図４の共有リスト作成フローチャートにおけるＳ４０７に述べたテレビ（ＴＶ）追加処理の流れを説明する。Ｓ７００では、外部装置情報記憶部１０４を参照して、外部装置１０１がテレビ閲覧機能を所有しているか判定し、所有していればＳ７０１へ進み、所有していなければＳ７０５へ進む。Ｓ７０１では、比較対象となるコンテンツが有料チャンネルあるいは契約しなければ見られないなどの閲覧に制限のあるチャンネルであるか判定し、制限のあるチャンネルであればＳ７０２に進み、制限がないチャンネルであればＳ７０３に進む。Ｓ７０２では、外部装置１０１が該コンテンツを閲覧する権利があるかどうか調べる。このように個々のコンテンツにおける外部装置１０１の閲覧権利の情報は、通信開始時にあらかじめ外部装置情報記憶部１０４に記憶されていてもよいし、共有リスト作成の処理時に共有候補となるコンテンツについて必要に応じて外部装置１０１から情報を取得してもよい。外部装置１０１に閲覧権利があればＳ７０３に進み、閲覧権利がなければＳ７０４に進む。また、外部装置１０１に閲覧権利がない場合でも、コンテンツ提供側が許可した場合は外部装置１０１が共有中のみ該コンテンツを閲覧できるような手段を設けてもよい。このとき、閲覧制限がないコンテンツであっても、処理はＳ７０２に進む。
【００５４】
Ｓ７０３では、該コンテンツを共有リストに加え、そのとき、属性値である送信情報を該コンテンツのチャンネル番号にして、共有リスト作成処理に戻る。Ｓ７０４では、共有コンテンツ候補記憶部１０３により該コンテンツの属性情報を取得して、Ｓ７０５に進む。Ｓ７０５では、該コンテンツの属性情報により、該コンテンツが再配布可能なコンテンツであるか判定し、再配布可能であればＳ７０６に進み、再配布不可であればＳ７０７に進む。Ｓ７０６では、該コンテンツを共有リストに加え、そのとき属性値である送信情報を共有選択したときの本コンテンツ共有装置１００の画面そのものにして、共有リスト作成処理に戻る。Ｓ７０７では、該コンテンツを共有リストに加えずに、共有リスト作成処理に戻る。
【００５５】
次に図８のフローチャートを用いて、図４の共有リスト作成フローチャートにおけるＳ４０８に述べたその他追加処理の流れを説明する。Ｓ８００では、外部装置情報記憶部１０４を参照して、外部装置１０１が比較対象となるコンテンツを閲覧するための機能を所有しているか判定し、所有していればＳ８０１へ進み、所有していなければＳ８０２へ進む。Ｓ８０１では、該コンテンツを共有リストに加え、そのとき、属性値である送信情報を共有コンテンツ候補記憶部１０３に記憶されている該コンテンツの属性値である詳細情報にして、共有リスト作成処理に戻る。Ｓ８０２では、該コンテンツの属性情報により、該コンテンツが再配布可能なコンテンツであるか判定し、再配布可能であればＳ８０３に進み、再配布不可であればＳ８０４に進む。Ｓ８０３では、該コンテンツを共有リストに加え、そのとき、属性値である送信情報を共有選択したときの本コンテンツ共有装置１００の画面そのものにして、共有リスト作成処理に戻る。Ｓ８０４では、該コンテンツを共有リストに加えずに、共有リスト作成処理に戻る。
【００５６】
図４〜図８に基づいて説明したように、通信相手に送る送信情報は、相手の機器環境に応じて変更するので、例えばＷｅｂコンテンツを共有しようと、ＵＲＬを送信したが、相手の機器はＷｅｂブラウザを所有しておらず、適切な処理を行うことができないなどの問題がおきない。
【００５７】
次に、図９の共有コンテンツ候補リストに記載のコンテンツの必要とする表示機能項目が図３に示す外部装置１０１が所有する機能情報と比較されて図１０に示す共有リストが作成される模様をさらに詳しく説明する。例えば今、外部装置１０１が所有する機能情報が図３であり、共有コンテンツ候補記憶部１０３に記憶されている共有コンテンツ候補リストが図９であったとする。今、コンテンツ共有装置１００と外部装置１０１が通信を始めると、外部装置情報記憶部１０４が外部装置１０１の機能情報を取得し、図３のリストを記憶する。共有可能コンテンツ特定部１０５は外部装置情報記憶部１０４が記憶する図３のリスト情報と共有コンテンツ候補記憶部１０３が記憶する図９のリスト情報を参照して、共有リストの作成を開始する。
【００５８】
図９のひとつめの項目である「歌バン」の属性値を見ると、このコンテンツを閲覧するためには、テレビ閲覧機能が必要であり、「共有の可否」欄が「可」となっており、閲覧制限もないことが分かる。図３を見るとこの外部装置はテレビ閲覧機能を持っていることが分かるので、このコンテンツは共有リストに加えられ、送信情報はチャンネル番号となる。
【００５９】
２つめの「オーストラリア」を見ると、このコンテンツを閲覧するためには、Ｗｅｂ閲覧機能が必要であり、かつ有料コンテンツであることがわかる。但しこのコンテンツは共有を許可しているので、結果として、このコンテンツを共有リストに加え、送信情報をこのコンテンツを表示した画面そのものをストリーム（外部装置１０１側においてリアル-タイムで再生できるようにデータ提供）とする。このように、処理を行った結果、共有リストは図１０のようになる。外部装置１０１はＷＯＷＯＷを閲覧する権利はないので、共有ができない「世界旅行」は共有リストからはずされ、同じＷＯＷＯＷでも共有を許可している「料理番組」は共有リストに加えられていることが分かる。
【００６０】
図１０の４つめの「０４０３１９運動会」はコンテンツ共有装置１００が外部入力されて有する映像データ（および、場合によっては音声データも）を送信し、外部装置１０１にて共有（閲覧）できる。また、図１０の７つめの「０４０５０１家族旅行」はコンテンツ共有装置１００がＳＤカードより取込んだ映像データを送信し、外部装置１０１にて共有（閲覧）できる。図１０の「種類」欄はそのコンテンツの種別情報を記載している。
【００６１】
また、相手と通信中に共有コンテンツ候補記憶部１０３に記憶されていたテレビのチャンネル番号のコンテンツの放送内容が変わり、通信開始時に放送していたコンテンツは共有ができなかったが、次に放送するコンテンツが共有可能だった場合には、共有可能コンテンツ特定部１０５に記憶されている共有リストに該コンテンツを追加するなど、一度共有リストを作成した後でも、時間の変化などによって、共有条件が変化したコンテンツに対応できるようにしてもよい。
【００６２】
次に図１１のフローチャートを用いて、共有リストが作成されてから、実際に共有を開始するまでの流れを説明する。Ｓ１１００において、ユーザが操作入力部１０２を用いて、共有開始操作を行ったか判定し、操作を行えばＳ１１０１へ進み、操作を行うまでは待ち状態となる。共有操作開始までのテレビ電話の画面の一例を図１２に示す。この例では、大きな画面エリアに外部装置１０１側にいるユーザの映像が、小さな画面エリアに自分の映像が表示されている。
【００６３】
Ｓ１１０１では、表示出力部１１２において共有可能コンテンツ特定部１０５に記憶されている共有リストを表示して、Ｓ１１０２へ進む。表示出力部１１２に表示する内容には、例えば図１３のように、コンテンツのタイトルとコンテンツの種類がある。そのほか、コンテンツのタイトルのみ、あるいはコンテンツの画面の一場面によるサムネイル表示でもよい。また、ユーザの操作により、それぞれの内容の詳細情報などをみることができるようにしてもよい。Ｓ１１０２では、ユーザが操作入力部１０２により表示出力部１１２に表示された共有リストの中から共有するコンテンツを選択したか判定し、選択するとＳ１１０３へ進み、選択されるまでは待ち状態となる。ユーザが共有リスト開始操作を行ってから一定時間の間、何のコンテンツも選択されないままであった場合、表示出力部１１２から自動的に共有リストを閉じるようにしてもよい。また、この例ではユーザが操作入力部１０２を用いて共有開始操作を行うと、まず共有リストが表示され、その中から共有するコンテンツを選択するようになっているが、共有開始操作を行うと、共有リストの中で最も直前に見ていたコンテンツの共有を開始し、操作入力部１０２により画面を切り替えることができるようにしたり、共有リストを表示するなどの操作ができるようにしてもよい。
【００６４】
Ｓ１１０３では、共有コンテンツ選択部１０６が操作入力部１０２においてコンテンツの共有を開始する指示を共有可能コンテンツ特定部１０５に渡し、共有可能コンテンツ特定部１０５は選択されたコンテンツの属性情報をコンテンツ共有設定部１０７に渡し、コンテンツ共有設定部１０７はコンテンツの属性情報である送信情報を外部装置１０１へ送信して、Ｓ１１０４へ進む。Ｓ１１０４では、管理再生部１０８がコンテンツ共有設定部１０７から渡されたコンテンツの属性情報を元に、適切な処理部を用いて、表示出力部１１２の画面を切り替えて、選択されたコンテンツを表示して、Ｓ１１０５へ進む。なお、Ｓ１１０４にて「アプリ」とはアプリケーションソフトのことである。Ｓ１１０５では、管理再生部１０８で映像の同期を取りながら共有を開始する。このように、コンテンツ共有設定手段（コンテンツ共有設定部１０７）は、共有コンテンツ選択手段（共有コンテンツ選択部１０６）が共有可能なコンテンツの中から指定したコンテンツの属性に基づき、共有を行う外部装置１０１に対して、指定したコンテンツの属性に対応した所定の設定動作（共有コンテンツを外部装置と共有するための設定動作）を自動的に行うので、ユーザはコンテンツの種類を気にすることなく、共有するコンテンツを選ぶことができる。つまり、コンテンツの属性情報には、それぞれのコンテンツを閲覧するのに必要な機能情報があり、コンテンツが選択されるとその機能情報を元に自動的に適切な処理が行われる。
【００６５】
なお、上記Ｓ１１００、Ｓ１１０２において、ＹＥＳになるまで待ち状態となるフローチャートであるが、コンピュータプログラム上においては、この待ち時間を作ると、その間、コンピュータが処理できなくなる。したがって、ＮＯのときは直ちにそのサブルーチンプログラムを終了（リターン）してメインプログラムに戻す。そして、このサブルーチンプログラムを定期的に、たとえば、３０ｍｓ毎に繰り返すようにする。後述する図１５のＳ１５００においても同様である。
【００６６】
図１４は画像を共有している場合の画面の一例である。例では、コンテンツの共有を開始すると、例のように相手の映像が表示されていた大きな画面エリアが共有画面に切り替わり、図１２では自分の映像が表示されていた小さな画面には相手の映像が表示されている。この例では、テレビ電話を開始してからユーザが操作入力部１０２において共有操作をするまでコンテンツの共有を開始しないが、テレビ電話開始と同時にユーザが直前に閲覧していたコンテンツが外部装置１０１と共有可能であるか判定し、共有可能であれば相手と自分の画面を切り替えてコンテンツの共有を開始してもよい。さらに、相手とテレビ電話を開始する前に開始要求と同時に直前に見ていたコンテンツの情報を送信し、相手の画面を切り替えてもよい。以上により、迅速に共有を開始することができるので、ニュース速報など、瞬時的なコンテンツであっても、相手と情報を共有することができる。
【００６７】
次に、図１５のフローチャートを用いて、外部装置１０１において、コンテンツ共有装置１００と通信を開始してから共有を開始するまでの流れを説明する。Ｓ１５００において、通信相手がコンテンツ共有装置１００の操作入力部１０２を用いて、共有開始操作を行ったか判定し、操作を行えばＳ１５０１へ進み、操作を行うまでは待ち状態となる。Ｓ１５０１では、通信相手のコンテンツ共有装置１００側が選択した共有コンテンツの属性値である送信情報を受信して、Ｓ１５０２へ進む。
【００６８】
Ｓ１５０２では、受信した情報から、その情報を閲覧するために適切な機能を判断し、表示画面をその機能に切り替えて、Ｓ１５０３へ進む。なお、Ｓ１５０２にて「アプリ」とはアプリケーションソフトのことである。この機能の判断方法として、例えば、外部装置１０１は図１６にあるような、通信相手のコンテンツ共有装置１００から送信された受信情報の種類（「受信する情報」の欄）と、切り替える機能（「切り替え対象」の欄）との対応表を記憶しておき、その対応表を用いて、切り替える機能を判断する方法がある。図１６にて、「種類」欄はコンテンツの種別を表している。Ｓ１５０３では、切り替えた機能を用いて相手（コンテンツ共有装置１００）が選択したコンテンツを表示し、Ｓ１５０４へ進む。Ｓ１５０４では、相手とのコンテンツの共有を開始し、相手の操作に対して同期をとって動作する。この例では、コンテンツ共有装置１００側からのみ共有操作が行えるようになっているが、外部装置１０１側にも、共有操作ができるような機能を備え、双方から共有を始められるようにしてもよい。また例では、共有を開始した後のそのコンテンツの動作の操作は、共有を開始した側のみが可能である。しかし、この操作も双方が操作できるようにしてもよい。
【００６９】
［実施の形態２］
図１７は実施の形態２に係るコンテンツ共有装置１７００のブロック図である。実施の形態１では、共有リストの候補となるコンテンツは、常にコンテンツ共有装置１００と接続されたコンテンツのみであった。実施の形態２に係るコンテンツ共有装置１７００において、管理再生部１７０２はネットワークを通して外部機器１７０１に接続される。外部機器１７０１はコンテンツ共有装置１７００の周辺にあるデジタルカメラなどのような一時的に接続された機器である。外部機器１７０１は、デジタル機器を無線で接続し，音声通信やデータ通信を行うＢｌｕｅｔｏｏｔｈ（登録商標）などの無線通信あるいはケーブルによってつながっているような機器でもよいし、コンパクトフラッシュ（登録商標）などのように、コンテンツ共有装置に直接着脱できるような機器でもよい。このような一時的にコンテンツ共有装置１７００につながった機器より得られたコンテンツであっても共有コンテンツ候補記憶部１７０３に共有候補として加えることによって、より豊富なコンテンツを共有候補として記憶することができる。また、共有を行った際に、コンテンツ共有装置１７００の表示出力部１１２で共有コンテンツを表示するのではなく、外部機器１７０１で表示し、操作だけコンテンツ共有装置１７００でできるようにしてもよい。このような構成により、コンテンツ共有装置１７００自体にコンテンツを記憶しておく必要がないので、処理能力が低い装置であっても、コンテンツ共有を行うことができる。
【００７０】
図１８は図１７のブロック図の具体的構成の一例である。今、コンテンツ共有装置１７００は携帯電話１８００であり、外部装置１０１である家にあるテレビ１８０１とテレビ電話中であるとする。携帯電話１８００の周辺には、テレビ電話開始前に撮影したコンテンツが記憶されている、図１７の外部機器１７０１であるデジタルカメラ１８０２がありこのデジタルカメラ１８０２はＢｌｕｅｔｏｏｔｈ（登録商標）により、携帯電話１８００へ情報を送信することができる。
【００７１】
このとき、携帯電話１８００での共有コンテンツ候補記憶部１７０３で記憶されている共有コンテンツ候補の中には、デジタルカメラ１８０２に記憶されたコンテンツ（映像）も含まれている。今、外部装置１０１であるテレビ１８０１がデジタルカメラ１８０２のコンテンツを閲覧する機能を所有しているものとし、携帯電話１８００において共有リストを提示すると、共有リストの項目にはデジタルカメラ１８０２の中にあるコンテンツも表示される。そのコンテンツを選択すると携帯電話１８００を通してテレビ１８０１の表示画面に該コンテンツを表示することができる。また、携帯電話１８００側の表示画面にテレビ１８０１側のユーザの映像とデジタルカメラ１８０２のコンテンツの映像を表示させてもよいが、携帯電話１８００のような画面があまり大きくない装置では見づらくなるので、携帯電話１８００側ではテレビ１８０１側のユーザの映像のみを表示し、デジタルカメラ１８０２の表示画面で選択されたコンテンツを表示するようにしてもよい。このように、携帯電話１８００のように処理能力があまり高くない機器であっても簡単にコンテンツを共有することができ、かつ表示画面を有効に活用することができる。この例では、テレビ電話開始前に撮影したコンテンツのみを対象にしたが、テレビ電話開始後に撮影したコンテンツも共有候補に加えてもよい。また、撮影中の画像および映像をリアルタイムに外部装置１０１の画面と共有してもよい。以上のように本発明は、テレビ電話中において容易にコンテンツの共有操作を行うことができる。
【図面の簡単な説明】
【００７２】
【図１】本発明の実施の形態１に係わるコンテンツ共有装置の機能ブロック図である。
【図２】本発明のコンテンツ共有装置の共有リスト作成の動作を示すフローチャートである。
【図３】本発明のコンテンツ共有装置の外部装置情報記憶部が記憶する外部装置情報の形態の一例である。
【図４】本発明のコンテンツ共有装置の共有リスト作成動作を示すフローチャートである。
【図５】本発明のコンテンツ共有装置のＷｅｂ追加処理動作を示すフローチャートである。
【図６】本発明のコンテンツ共有装置のビデオ追加処理動作を示すフローチャートである。
【図７】本発明のコンテンツ共有装置のテレビ追加処理動作を示すフローチャートである。
【図８】本発明のコンテンツ共有装置のその他追加処理動作を示すフローチャートである。
【図９】本発明のコンテンツ共有装置の共有コンテンツ候補記憶部が記憶する共有候補リストの一例である。
【図１０】本発明のコンテンツ共有装置の共有可能コンテンツ特定部が記憶する共有リストの一例である。
【図１１】本発明のコンテンツ共有装置の共有開始までの動作を示すフローチャートである。
【図１２】テレビ電話中の画面の一例である。
【図１３】テレビ電話中に共有リストを提示した画面の一例である。
【図１４】テレビ電話中に共有コンテンツに切り替えた画面の一例である。
【図１５】外部装置における共有開始までの動作を示すフローチャート図である。
【図１６】外部装置が記憶する、受信情報と切り替え機能との対応表の一例である。
【図１７】本発明の実施の形態２に係わるコンテンツ共有装置の機能ブロック図である。
【図１８】本発明の実施形態２に係わるコンテンツ共有装置と外部装置の具体的構成例である。
【符号の説明】
【００７３】
１００、１７００  コンテンツ共有装置、１０１  外部装置、１０２  操作入力部、１０３、１７０３  共有コンテンツ候補記憶部、１０４  外部装置情報記憶部、１０５  共有コンテンツ特定部、１０６  共有コンテンツ選択部、１０７  共有コンテンツ設定部、１０８  管理再生部、１０９  放送受信部、１１０  Ｗｅｂ処理部、１１１  コンテンツ記憶部、１１２  表示出力部、１７０１  外部機器、１８００  携帯電話、１８０１  テレビ、１８０２  デジタルカメラ。
【図１】
2006129058.tif 000003
【図２】
2006129058.tif 000004
【図３】
2006129058.tif 000005
【図４】
2006129058.tif 000006
【図５】
2006129058.tif 000007
【図６】
2006129058.tif 000008
【図７】
2006129058.tif 000009
【図８】
2006129058.tif 000010
【図９】
2006129058.tif 000011
【図１０】
2006129058.tif 000012
【図１１】
2006129058.tif 000013
【図１２】
2006129058.tif 000014
【図１３】
2006129058.tif 000015
【図１４】
2006129058.tif 000016
【図１５】
2006129058.tif 000017
【図１６】
2006129058.tif 000018
【図１７】
2006129058.tif 000019
【図１８】
2006129058.tif 000020